(57)【特許請求の範囲】
【請求項１】
話者の音声を入力して電気的な音声信号を出力する音声入力部と、
装置を音声認識モードに切り換えたときに前記入力した話者の音声を認識して所定の処理をする音声認識部と、
予め記憶されたダイヤル番号をキー操作により自動発呼するメモリダイヤルモードと、前記音声認識部が入力音声を認識して予め記憶された名義名パターンの中から同じ名義名を検索して予め前記名義名に対応して記憶されたダイヤル番号を自動発呼する音声認識モードとを制御する制御部と、
を備えた音声認識作動装置において、
前記ダイヤル番号と、前記名義名パターンとを複数記憶する共用記憶部を備え、
前記共用記憶部は、前記名義名パターンの記憶および前記ダイヤル番号の記憶に使用されている領域の大きさに応じて、ダイヤル番号を記憶することのできる残量が可変であり、
前記残量をダイヤル番号の記憶可能件数として表示する表示部を設けた
ことを特徴とする音声認識作動装置。
【発明の詳細な説明】
【０００１】
【発明の属する技術分野】
本発明は、話者が入力した音声を認識してこれに基づいて所定の作動をする音声認識作動装置に関するものである。
【０００２】
【従来の技術】
従来の音声認識作動装置としては、例えば、特開昭６１−１４４１５７号公報に記載されたような、予め記憶されたダイヤル番号に対応する、やはり予め記憶された電話加入者の名前（名義名）を話者がマイクロフォンに向かって発声することにより、電話機の音声認識部がその名義名を音声認識して、それに対応するダイヤル番号を検索して相手方に自動的に発呼することができる電話機がある。
【０００３】
このような電話機は、携帯型電話機や自動車電話機に用いることができ、手動でダイヤルやテンキーを操作しなくとも電話をかけることが可能となり、他の作業で手がふさがっている場合でも電話をかけることが可能となる。
【０００４】
【発明が解決しようとする課題】
しかしながら、このような従来の電話機においては、名義名の音声を認識してダイヤル番号を検索して自動的に発呼できるような音声認識モードだけでなく、簡単なキー操作をするだけで、予め記憶されたそのキーに対応するダイヤル番号を自動発呼することができる、メモリダイヤルモードの機能を兼ね備えたものがある。
【０００５】
そしてこのような従来の電話機においては、前記音声認識モード用の名義名パターン記憶部と、音声認識モード用及びメモリダイヤルモード用のダイヤル番号記憶部が別々に設けられていて、それぞれの記憶部が話者の要望に応え得る限りの最大件数の容量をもっていて、かつその領域は固定化されている。
【０００６】
また、たとえ上記それぞれの記憶部が実質的に同じ記憶部内の別々の領域に記憶されたものがあったとしても、それらの記憶部は何件かずつに固定的に割り当てられていて、各々の領域の大きさや境界が可変となっているような記憶部は従来はなかった。
【０００７】
ところが、音声認識モードをよく使うか又はメモリダイヤルモードをよく使うかは人によって異なり、両方のモード共最大件数まで使う人はあまりいないと考えられる。片方のモードのみがよく使われる場合は他方のモード用の記憶部はほとんど使われないことが多く、そのような記憶部の使われない領域部分が無駄となると共に、装置の大型化、コスト高を招くという問題があった。
【０００８】
そこで本発明は、上記問題点に鑑みて、記憶部の使用されない無駄な領域による装置の大型化、コスト高を防止することができる音声認識作動装置を提供することを課題とするものである。
【０００９】
上記課題を解決するために本発明は、話者の音声を入力して電気的な音声信号を出力する音声入力部と、装置を音声認識モードに切り換えたときに前記入力した話者の音声を認識して所定の処理をする音声認識部と、予め記憶されたダイヤル番号をキー操作により自動発呼するメモリダイヤルモードと、前記音声認識部が入力音声を認識して予め記憶された名義名パターンの中から同じ名義名を検索して予め前記名義名に対応して記憶されたダイヤル番号を自動発呼する音声認識モードとを制御する制御部と、を備えた音声認識作動装置において、前記ダイヤル番号と、前記名義名パターンとを複数記憶する共用記憶部を備え、前記共用記憶部は、前記名義名パターンの記憶および前記ダイヤル番号の記憶に使用されている領域の大きさに応じて、ダイヤル番号を記憶することのできる残量が可変であり、前記残量をダイヤル番号の記憶可能件数として表示する表示部を設けたことを特徴とするものである。
【００１０】
このような構成の音声認識作動装置によれば、第１，第２ダイヤル番号記憶部及び名義名パターン記憶部を単一の記憶部で共用し、各々の記憶部の領域の大きさや境界を可変にした単一共用記憶部を設けたため、自動発呼方式の使用頻度の違いにより最もよく使われる記憶部が最も広い領域を占め、あまり使われない記憶部は少ない領域で足りるように、記憶部の領域の大きさや境界を変化させることができるため、全体として従来の記憶部の領域の合計よりも狭い領域の単一の記憶部で足りるので、記憶部の使われない無駄な領域による装置の大型化、コスト高を防止することができる。
【００１１】
【発明の実施の形態】
以下、本発明の実施の形態について、図面に基づいて具体的に説明する。
図１及び図２は、本発明による音声認識作動装置の第１の実施の形態に係る携帯型電話機１０を説明するために参照する図である。
【００１２】
図１に示す携帯型電話機１０においては、相手方と通話するときは話者の音声が入力された音声入力部１２（マイクロフォン）から音声信号が通話回路３４に送られ、さらに音声信号は通話回路３４から高周波部２４に送られて、そのアンテナ部２４ａから相手方に向けて最寄りの基地局に無線が発信される。
【００１３】
相手方からの応答が最寄りの基地局から無線でアンテナ部２４ａに受信されると、その受信信号は高周波部２４から通話回路３４を経て音声出力部２６（スピーカー）に送られ、音声出力部２６からそれを耳に当てている話者に相手方からの応答の音声が聞こえてくるようになっている。
【００１４】
また相手方に発呼するときは、操作部３６のテンキーを用いてダイヤル番号の番号１つ１つすべてを指で押すことにより発呼することもできるが、音声認識モードを用いて自動的に発呼することもできる。
【００１５】
すなわち、相手方の名義名の音声パターンが名義名パターン記憶部２２に登録されていると共に、その名義名に対応するダイヤル番号がダイヤル番号記憶部３８（第１，第２ダイヤル番号記憶部）に登録されているときは、その名義名を話者が音声入力部１２に向かって発声することによって、通話回路３４が有するダイヤル回路によりそのダイヤル番号の相手方に自動的に発呼することができる。
【００１６】
この音声認識モードの場合は、音声入力部１２からの音声信号はアンプ部１４によって増幅され、Ａ／Ｄ部１６（アナログ／デジタル変換装置）によってアナログ信号からデジタル信号に変換され、そのデジタル信号を入力した音声認識部１８が入力された名義名の音声を認識して、名義名パターン記憶部２２に登録されている名義名の中から、上記音声認識した音声パターンと同一のものを照合して検索する。
【００１７】
そして、音声認識部１８が照合して検索した名義名に対応するダイヤル番号がダイヤル番号記憶部３８のどこに入っているかを示す信号を制御部２０に出力すると、制御部２０はダイヤル番号記憶部３８に登録されたダイヤル番号の中から、その名義名に対応するダイヤル番号を検索して、通話回路３４のダイヤル回路にダイヤル番号を示す信号を送ることにより、相手方に自動的に発呼されるようになっている。
【００１８】
自動発呼方式としては、上記音声認識モードと共に、操作部３６のキー操作によりワンタッチ等の簡単な操作で、予めダイヤル番号記憶部３８に名義名と共に記憶されたダイヤル番号について自動発呼する、メモリダイヤルモード方式をも有している。
【００１９】
ダイヤル番号記憶部３８と名義名パターン記憶部２２は、１つの単一共用記憶部５０で構成されている。そしてさらに詳しくは、単一共用記憶部５０内の、ダイヤル番号記憶部３８、すなわち音声認識モードで用いるダイヤル番号記憶部３８と、メモリダイヤルモード方式で用いるダイヤル番号記憶部３８と、名義名パターン記憶部２２の領域の各々の大きさや境界は可変、すなわち互いの領域は増減可能となっている。
【００２０】
また携帯型電話機１０は、ＩＣメモリー等により構成される録音再生部４０を有しており、通話中又は留守番モードにしたときの音声を録音し、後で再生することができる。
【００２１】
また携帯型電話機１０は温度測定センサー４２を有しており、この温度測定センサー４２は環境の温度を測定して制御部２０に知らせることにより、制御部２０は表示部３０を構成するＬＣＤの輝度が劣化しないように制御することができる。
【００２２】
そして携帯型電話機１０にはタイマー４４が設けられており、制御部２０に常にクロック信号を出力して表示部３０に表示される月日と時刻を進行させるようになっている。
【００２３】
このような本実施の形態に係る携帯型電話機１０によれば、ダイヤル番号記憶部３８及び名義名パターン記憶部２２を単一の記憶部で共用し、各々の記憶部の領域の大きさや境界を可変にした単一共用記憶部５０を設けたため、音声認識モードを利用しない話者の場合はメモリダイヤルモードで用いるダイヤル番号を記憶させる記憶部の領域を大きくとることができ、逆にメモリダイヤルモードを利用しない話者の場合は音声認識モードで用いる名義名やダイヤル番号を記憶させる記憶部の領域を大きくとることができる。
【００２４】
このため、最もよく使われる記憶部が最も広い領域を占め、あまり使われない記憶部は少ない領域で足りるように記憶部の領域の大きさや境界を変化させることができるため、全体として従来の記憶部の領域の合計よりも狭い領域の単一の記憶部で足りるので、記憶部の使われない無駄な領域による装置の大型化、コスト高を防止することができる。
【００２５】
例えば、音声認識モードをよく使う人の携帯型電話機１０の単一共用記憶部５０においては、図２（ａ）に示すように、名義名パターン記憶部２２の領域Ａが最も広い領域を占め、その名義名パターン記憶部２２に対応して使用されるダイヤル番号記憶部３８の領域Ｂがそれに応じた領域を占め、あまり使われないメモリダイヤルモードで使うダイヤル番号記憶部３８の領域Ｃは少ない領域で足りることになる。
【００２６】
また逆に、メモリダイヤルモードをよく使う人の携帯型電話機１０の単一共用記憶部５０においては、図２（ｂ）に示すように、メモリダイヤルモードで使うダイヤル番号記憶部３８の領域Ｃが最も広い領域を占め、あまり使われない名義名パターン記憶部２２の領域Ａと、その名義名パターン記憶部２２に対応して使用されるダイヤル番号記憶部３８の領域Ｂが少ない領域で足りることになる。
【００２７】
例えば、単一共用記憶部５０の全部をメモリダイヤルモードで用いるダイヤル番号だけに使うと５００件位記憶させることができるとすると、音声認識モードで用いる名義名やダイヤル番号は０件、逆に音声認識モードで用いる名義名やダイヤル番号を増やして４０件位記憶させることができるとすると、メモリダイヤルモードで用いるダイヤル番号は４０件位記憶させられる、というような使い方をすることができる。
【００２８】
そして携帯型電話機１０は、図３（ａ），（ｂ）、及び図４（ａ），（ｂ）のいずれかに示すような状態の表示を表示部３０に表示することができる。図３（ａ），（ｂ）は単一共用記憶部５０の残りの“容量”を表示する場合を示し、図４（ａ），（ｂ）は単一共用記憶部５０の残りの“件数”を表示する場合を示すものである。
【００２９】
このような表示部３０を見ることにより、話者は単一共用記憶部５０内の記憶状態が一目で分かり、それを見ながら携帯型電話機１０の自動発呼の方式を自分で自由に選択することができるので、携帯型電話機１０の自動発呼の操作性を向上させることができる。
【００３０】
なお、図３（ａ），（ｂ）及び図４（ａ），（ｂ）においては、ダイヤル番号の登録件数を、音声認識モードで用いるものとメモリダイヤルモードで用いるものとを区別しないで表示する場合について示したが、それらを区別して表示してもよいことはもちろんである。
【００３１】
また、前記実施の形態においてはダイヤル番号の記憶部を、音声認識モードで用いるものとメモリダイヤルモードで用いるものとを区別して説明したが、音声登録する前には必ずメモリダイヤルモードのダイヤル番号を登録しなければいけないような方式にあっては、それらのダイヤル番号は区別することなく両方のモードで用いるような場合にも本発明は適用することができる。
【００３２】
また、上記実施の形態においては本発明を携帯型電話機に適用した場合について説明したが、本発明は携帯型電話機に限定する必要はなく、自動車電話機等の他の種類の電話機、或いはファクシミリ、パーソナルコンピューター等、他のどのような装置や機器にも適用することができる。
【００３３】
以上、本発明の実施の形態について具体的に述べてきたが、本発明は上記の実施の形態に限定されるものではなく、本発明の技術的思想に基づいて、その他にも各種の変更が可能なものである。
【００３４】
【発明の効果】
以上説明したように、本発明の音声認識作動装置によれば、第１，第２ダイヤル番号記憶部及び名義名パターン記憶部を単一の記憶部で共用し、各々の記憶部の領域の大きさや境界を可変にした単一共用記憶部を設けたため、自動発呼方式の使用頻度の違いにより最もよく使われる記憶部が最も広い領域を占め、あまり使われない記憶部は少ない領域で足りるように、記憶部の領域の大きさや境界を変化させることができるため、全体として従来の記憶部の領域の合計よりも狭い領域の単一の記憶部で足りるので、記憶部の使われない無駄な領域による装置の大型化、コスト高を防止することができる。
【図面の簡単な説明】
【図１】本発明による音声認識作動装置の第１の実施の形態に係る携帯型電話機１０の構成を示すブロック回路図である。
【図２】単一共用記憶部５０の使用状態を示す図であり、図２（ａ）は音声認識モードを多く使用した状態、図２（ｂ）はメモリダイヤルモードを多く使用した状態を示す図である。
【図３】表示部３０の表示状態の各例を図３（ａ），（ｂ）の各々に示した図である。
【図４】表示部３０の表示状態の各例を図４（ａ），（ｂ）の各々に示した図である。
【符号の説明】
１０  携帯型電話機
１２  音声入力部
１４  アンプ部
１６  Ａ／Ｄ部
１８  音声認識部
２０  制御部
２２  名義名パターン記憶部
２４  高周波部
２４ａ  アンテナ部
２６  音声出力部
３０  表示部
３４  通話回路
３６  操作部
３８  ダイヤル番号記憶部
４０  録音再生部
４２  温度測定センサー
４４  タイマー
５０  単一共用記憶部
【図１】
0003957020.tif 000002
【図２】
0003957020.tif 000003
【図３】
0003957020.tif 000004
【図４】
0003957020.tif 000005